(57)【要約】【課題】使用されるパイプの内径寸法にかかわらず組立式展示台の組立/分解を容易に行うことを可能にし、組立式展示台の構造を強靭に形成することを可能にし、かつ組立式展示台から分解されたパイプを何度も繰り返して使用することを可能にする組立式展示台用パイプコネクタの提供。【解決手段】その一端でパイプに挿入されるように構成された２〜４本の挿入棒を有し、かつそれに単一片としてその他端を接続するように構成された中心体を有する第１カプラーと、  その一端でパイプに挿入されるように構成された２〜４本の挿入棒を有し、かつそれに単一片としてその他端を接続するように構成された中心体を有する第２カプラーと、  前記第１カプラーの中心体に形成された貫通ネジ穴と、  前記貫通ネジ穴に装着されるように構成され、前記第２カプラー方向に配向されるようになっている調整ネジである。【選択図】図２
2008531177.tif 000002
【特許請求の範囲】
【請求項１】
組立式展示台用パイプコネクタであって、
その一端でパイプに挿入されるように構成された２〜４本の挿入棒を有し、かつそれに単一片としてその他端を接続するように構成された中心体を有する第１カプラーであり、その中心体に形成された貫通ネジ穴を有する第１カプラーと、
その一端でパイプに挿入されるように構成された２〜４本の挿入棒を有し、かつそれに単一片としてその他端を接続するように構成された中心体を有する第２カプラーと、
前記貫通ネジ穴に装着されるように構成され、前記第２カプラー方向に配向されるようになっている調整ネジと、からなることを特徴とする組立式展示台用パイプコネクタ。
【請求項２】
２本の挿入棒が直線方向または互いに垂直となるような方向に配置されてなる請求項１に記載の組立式展示台用パイプコネクタ。
【請求項３】
３本の挿入棒が互いにＸ軸、Ｙ軸、及びＺ軸方向に配置されるかまたは互いに６０°の角度で一平面上に配置されてなる請求項１に記載の組立式展示台用パイプコネクタ。
【請求項４】
４本の挿入棒が互いにＸ軸、Ｙ軸、及びＺ軸方向に配置されるかまたは互いに９０°の角度で一平面上に配置されてなる請求項１に記載の組立式展示台用パイプコネクタ。
【請求項５】
挿入棒のそれぞれがその外周面に沿って形成された略環状溝を有し、Ｏリングが該環状溝内に装着されてなる請求項１〜４のいずれか一項に記載の組立式展示台用パイプコネクタ。
【請求項６】
組立式展示台用パイプコネクタであって、
互いに所定の角度で一平面上に配置され、その一端でパイプに挿入されるようになっている３〜４本の水平挿入棒を有し、かつそれに単一片として、前記水平挿入棒の他端を接続するように構成された中心体を有する第１カプラーであって、その中心体に形成された貫通ネジ穴を有する第１カプラーと、
互いに所定の角度で一平面上に配置され、その一端でパイプに挿入されるようになっている３〜４本の水平挿入棒を有し、かつそれに単一片として、前記水平挿入棒の他端を接続するように構成された中心体を有する第２カプラーと、
前記第２カプラーの中心体に形成され、前記第２カプラーの水平挿入棒に対して垂直方向に配置されるようになっている垂直挿入棒と、
前記垂直挿入棒の端部分で縦方向に形成された複数のスリットと、
前記第２カプラー内で前記垂直挿入棒に対して軸方向に形成された挿入溝であって、その端部においてその直径が細くなるように形成された傾斜部分を有し、前記複数のスリットに連結されるようになっている挿入溝と、
前記貫通ネジ穴と前記挿入溝とに装着されるように構成された調整ネジ棒であって、その端部分に形成された傾斜部分を有し、前記挿入溝の傾斜部分に挿入可能になっている調整ネジ棒と、からなることを特徴とする組立式展示台用パイプコネクタ。
【請求項７】
水平挿入棒と垂直挿入棒とがその外周面に沿って形成された略環状溝を有し、Ｏリングが該環状溝内に装着される請求項６に記載の組立式展示台用パイプコネクタ。
【発明の詳細な説明】
【技術分野】
【０００１】
本発明は、組立式展示台用パイプコネクタに関するものであり、より具体的には、使用されるパイプの内径寸法にかかわらず前記組立式展示台の組立/分解を容易に行うことを可能にし、前記組立式展示台の構造を強靭に形成することを可能にし、かつ前記組立式展示台から分解されたパイプを何度も繰り返して使用することを可能にする組立式展示台用パイプコネクタに関するものである。
【背景技術】
【０００２】
「コンビロック（Ｃｏｍｂｉｌｏｃｋ）」（登録商標）として一般に知られている組立式展示台は、最初にステンレススチールパイプまたはアルミニウムパイプを適切な長さに切断し、次いで、前記切断パイプをコネクタを用いて組み立て、それによって展示台を所望の形状で形成するという方法で製造されている。該組立式展示台には、設置と分解が比較的に容易な点、全体重量が軽いので別の場所への移動が簡単にできるようになっている点、特に、該展示台が容易にその構造とサイズにおいて所望の新しい形状に変換できるという点など、いくつかの利点がある。よって、該組立式展示台は室内装飾、及び商品のディスプレイや展示に広く使用されている。
【０００３】
該組立式展示台はパイプとコネクタで構成されている。前記パイプは、金属製、プラスチック製またはスチール製であり、該組立式展示台の骨組みを構成する。前記コネクタは、２〜５本の挿入棒が互いに垂直関係となるように突出形成され、前記パイプがその両端で前記挿入棒に挿入可能になるような構造になっているので、前記２本以上のパイプを互いに接続することができる。前記コネクタには、接続パイプ数（すなわち挿入棒の数）に応じて２〜５種類の分枝型があり、挿入棒の構造に応じて直線接続型、直角接続型、平面接続型、立体接続型がある。
【０００４】
しかしながら、従来型組立式展示台によれば、前記パイプをその位置に固定するためには、各コネクタの挿入棒がパイプに強制的に挿入されなくてはならず、各挿入棒の外径が各パイプの内径と正確に一致しないと、前記パイプを前記挿入棒に接続することが非常に困難となるようになっているので、前記挿入棒が前記パイプにしっかりと挿入されない際には、好ましくないことには、該展示台はルーズな構造のものとなってしまう。より具体的には、分解後に前記パイプが再度使用される場合、前記パイプの内周は損傷されているかまたは所定の程度拡大されているので、前記パイプが再度使用される際の該展示台の構造は強度が低い。
【０００５】
これらの問題点を解決するため、本発明と同一出願人によって出願された韓国実用新案登録第３５７３０３号が提供されており、該韓国実用新案登録では、組立式展示台用のパイプジョイント（本発明ではパイプコネクタと称する）がパイプに挿入可能になるように構成されている挿入パイプ（本発明では挿入棒と称する）の径に応じて拡大・縮小が可能になっている。前記パイプジョイントは、前記パイプの組立と分解の操作性を大幅に向上させると同時に、前記パイプが再度使用されるときでさえも該展示台の構造を非常に強靭に保つこともできるので、前記組立式展示台用パイプジョイントは本産業分野における非常に有用な改善の１つと考慮されている。
【０００６】
従来型組立式展示台用パイプジョイントの構造を参照すると、前記パイプジョイントは、一平面上に配置された４本の水平挿入パイプと前記４本の水平挿入パイプに対して垂直方向に配置された１本の垂直挿入パイプとを有する立体型５分枝コネクタであって、前記各水平挿入パイプの径は第１カプラーと第２カプラー間の隙間の大きさによって調整され、かつ前記垂直挿入パイプの径はねじ部材の前後移動によって調整される。かくして、前記５本の水平及び垂直挿入パイプの径はすべて単一のねじ部材によって調整され、前記５本の挿入パイプのすべての径が既定の一定程度に拡大されない場合、比較的に少ししか径が拡大されていない挿入パイプはパイプの内周をしっかりと支持できないようになっている。つまり、前記５本の挿入パイプのうちの一部のパイプ径が拡大されて、前記パイプの内周を支持する場合、前記パイプの内周を支持する程度にまで拡大されていない前記５本の挿入パイプのうちの残りのパイプ径はそれ以上拡大されず、その結果、該組立式展示台の構造は大幅にルーズになってしまうのである。
【０００７】
しかも、従来型組立式展示台用パイプジョイントでは、前記第１カプラーを前記第２カプラーと結合するための手段がないため、使用が不便であって、前記パイプジョイントは２〜４分枝構造に不向きであり、その構造が改善される必要性がある。
【発明の開示】
【発明が解決しようとする課題】
【０００８】
よって、本発明は、従来技術において発生する前述の問題点を解決するためになされたものであり、本発明の目的は、使用されるパイプの内径寸法にかかわらず前記組立式展示台の組立／分解を容易に行うことを可能にし、前記組立式展示台の構造を強靭に形成することを可能にし、かつ前記組立式展示台から分解されたパイプを何度も繰り返して使用することを可能にする組立式展示台用パイプコネクタを提供することである。
【課題を解決するための手段】
【０００９】
上記目的を達成するため、本発明の態様によれば、下記を含む組立式展示台用パイプコネクタが提供される。
その一端でパイプに挿入されるように構成された２〜４本の挿入棒を有し、かつそれに単一片としてその他端を接続するように構成された中心体を有する第１カプラーであって、その中心体に形成された貫通ネジ穴を有することを特徴とする第１カプラーと、
その一端でパイプに挿入されるように構成された２〜４本の挿入棒を有し、かつそれに単一片としてその他端を接続するように構成された中心体を有する第２カプラーと、
前記貫通ネジ穴に装着されるように構成され、前記第２カプラー方向に配向されるようになっている調整ネジ。
【００１０】
本発明によれば、好ましくは、前記２本の挿入棒は直線方向または互いに垂直となるような方向に配置される。
【００１１】
本発明によれば、好ましくは、前記３本の挿入棒は互いにＸ軸、Ｙ軸、及びＺ軸方向に配置されるかまたは互いに６０°の角度で一平面上に配置される。
【００１２】
本発明によれば、好ましくは、前記４本の挿入棒は互いにＸ軸、Ｙ軸、及びＺ軸方向に配置されるかまたは互いに９０°の角度で一平面上に配置される。
【００１３】
上記目的を達成するため、本発明の別の態様によれば、下記を含む組立式展示台用パイプコネクタが提供されている。
互いに所定の角度で一平面上に配置され、その一端でパイプに挿入されるようになっている３〜４本の水平挿入棒を有し、かつそれに単一片として、その他端を接続するように構成された中心体を有する第１カプラーであって、前記中心体がその中に形成された貫通ネジ穴有する第１カプラーと、
互いに所定の角度で一平面上に配置され、その一端でパイプに挿入されるようになっている３〜４本の水平挿入棒を有し、かつそれに単一片として、前記水平挿入棒の他端を接続するように構成された中心体を有する第２カプラーと、
前記第２カプラーの中心体に形成され、前記第２カプラーの水平挿入棒に対して垂直方向に配置されるようになっている垂直挿入棒と、
前記垂直挿入棒の端部分で縦方向に形成された複数のスリットと、
前記第２カプラー内で前記垂直挿入棒に対して軸方向に形成された挿入溝であって、その端部においてその直径が細くなるように形成された傾斜部分を有し、前記複数のスリットに連結されるようになっていることを特徴とする挿入溝と、
前記貫通ネジ穴と前記挿入溝とに装着されるように構成された調整ネジ棒であって、その端部分に形成された傾斜部分を有し、前記挿入溝の傾斜部分に挿入可能になっていることを特徴とする調整ネジ棒。
【発明の効果】
【００１４】
本発明は、使用されるパイプの内径寸法にかかわらず前記組立式展示台の組立/分解を容易に行うことを可能にし、前記組立式展示台の構造を強靭に形成することを可能にし、かつ前記組立式展示台から分解されたパイプを何度も繰り返して使用することを可能にする組立式展示台用パイプコネクタを開示するものであり、本発明のパイプコネクタはさまざまな産業分野において非常に有用である。
【発明を実施するための最良の形態】
【００１５】
図１は、２本の挿入棒が互いに垂直となる方向に配置されることを特徴とする、本発明の実施形態に係る直角型２分枝コネクタを示す断面図であり、図２は、３本の挿入棒がＸ軸、Ｙ軸、及びＺ軸方向に配置されることを特徴とする、本発明の別の実施形態に係る立体型３分枝コネクタを示す組立斜視図であり、図３は、図２の立体型３分枝コネクタを示す分解斜視図である。さらに、図４は、３本の挿入棒が一互いに６０°の角度で平面上に配置されることを特徴とする、本発明のさらに別の実施形態に係る平面型３分枝コネクタを示す平面図であり、図５は、４本の挿入棒がＸ軸、Ｙ軸、及びＺ軸方向に配置されることを特徴とする、本発明のさらに別の実施形態に係る立体型４分枝コネクタを示す組立斜視図であり、及び図６は、図５の立体型４分枝コネクタを示す分解斜視図である。
【００１６】
図１〜６に示すように、本発明の好適な実施形態に係る組立式展示台用パイプコネクタには、第１カプラー１０、第２カプラー２０、及び調整ネジ３０が含まれる。この時点では、前記第１カプラー１０と前記第２カプラー２０とは、パイプ（図示せず）の一端に挿入されるように構成された複数の挿入棒１２及び２２と、前記挿入棒１２及び２２の一端を単一片として接続する中心体１４及び２４とを有する。前記第１カプラー１０の挿入棒１２のそれぞれと前記第２カプラー２０の挿入棒２２とのそれぞれは、空洞の略円筒形状をなし、それぞれの一面が互いに密着するようになっていることが好ましい。この時点では、複数の取り付け突出部１５及び２５は、前記２本の挿入棒１２及び２２の接触面の任意の一面またはその両面に形成され、前記２本の挿入棒１２及び２２の接面の内周を支持し、その接続時に正確に位置決めするようになっていることが好ましい。
【００１７】
前記第１カプラー１０と前記第２カプラー２０とがそれらの一面で互いに密着した後に該両カプラーはパイプに挿入される。この時点で、前記２本の挿入棒１２及び２２が互いに接触することにより形成された境界面は、直線形状、半円形状、または直角形状をなしてもよい。また、前記挿入棒１２及び２２は、その外周面に沿って形成された略環状溝１３及び２３を有し、シリコン材またはゴム材でできていることを特徴とするＯリング４０を前記各環状溝内に装着できるようになっている。前記Ｏリング４０は、前記第１カプラー１０と前記第２カプラー２０とを互いに結合する働きをし、該両カプラーが互いから分離されないようになっているので、前記コネクタの使用が便利であると同時に、前記挿入棒１２及び２２をパイプの内周上にしっかりと支持する働きをする。
【００１８】
本発明の好適な実施形態によれば、前記第１カプラー１０の中心体１４は、その中心部に形成された貫通ネジ穴１６を有し、前記調整ネジ３０と一体になるようになっている。かくして、前記第１カプラー１０の挿入棒１２と前記第２カプラー２０の挿入棒２２がパイプに挿入されている状態で、前記調整ネジがレンチを用いて前進させると、前記調整ネジ３０の端部は前記第２カプラー２０の中心体２４の内側を押すため、前記第１カプラー１０と前記第２カプラー２０とは互いに離れて間隔をおくようになる。かくして、前記挿入棒１２及び２２間にも隙間が形成されるようになるので、パイプの内周面はしっかりと支持される。
【００１９】
本発明の好適な実施形態によれば、前記第２カプラー２０の挿入棒２２は、前記調整ネジ３０の端部が支持台の機能を果たすので、シーソーのように動作し、前記調整ネジ３０の押圧力は前記挿入棒２２のすべてに均一に分散されるようになるため、前記挿入棒２２に接続されたパイプがその上にしっかりと支持されることが可能になる。
【００２０】
その上、図７は、４本の水平挿入棒が９０°の角度で互いに一平面に配置され、かつ、１本の垂直挿入棒が前記水平挿入棒に対して垂直方向に配置されることを特徴とする、本発明のさらに別の実施形態に係る立体型５分枝コネクタを示す組立斜視図であり、図８は、図７の立体型５分枝コネクタを示す分解斜視図であり、及び図９は、図７の立体型５分枝コネクタを示す分解断面図である。
【００２１】
図７〜９に示すように、本発明の好適な実施形態に係る組立式展示台用パイプコネクタには、第１カプラー１００、第２カプラー２００、及び調整ネジ棒３００が含まれる。この時点では、前記第１カプラー１００は、４本の水平挿入棒１２０と、前記４本の水平挿入棒１２０の一端を単一片として接続する中心体１４０とを有するものであって、前記中心体１４０がその上に形成された貫通ネジ穴１６０を有することを特徴とし、また、前記第２カプラー２００は、４本の水平挿入棒２２０と、前記４本の水平挿入棒１２０の一端を単一片として接続する中心体２４０とを有するのであって、前記中心体２４０がそれに対して垂直方向に配置される１本の垂直挿入棒２３０を有することを特徴とする。前記第２カプラー２００の中心体２４０は、前記垂直挿入棒２３０に対して軸方向に形成され、前記貫通ネジ穴１６０と連通するようになっている挿入溝２３２を有し、かつ前記垂直挿入棒２３０は、その端部に形成され、その中心体で縦方向にカットされている複数のスリット２３６を有する。前記調整ネジ３００は、前記貫通ネジ穴１６０を介して前記挿入溝２３２に挿入される。
【００２２】
前記第１カプラー１００の水平挿入棒１２０のそれぞれ及び前記第２カプラー２００の水平挿入棒２２０のそれぞれは空洞の略円筒形状をなし、それぞれの一面が互いに密着するようになっていることが好ましい。この時点では、複数の取り付け突出部１５０及び２５０は、前記２本の水平挿入棒１２０及び２２０の接触面の任意の一面またはその両面に形成され、前記２本の水平挿入棒１２０及び２２０の接面の内周を支持し、かつ、その接続時に正確に位置決めするようになっていることが好ましい。
【００２３】
また、前記水平挿入棒１２０及び２２０と前記垂直挿入棒２３０とは、その外周面に沿って形成され、略環状溝１３０及び２３０を有し、シリコン材またはゴム材でできていることを特徴とするＯリング４００を前記各環状溝内に装着するようになっている。前記Ｏリング４００は、前記第１カプラー１００と前記第２カプラー２００とを互いに結合する働きをし、該両カプラーが互いから分離されないようになっているため、前記コネクタの使用が便利であると同時に、前記水平挿入棒１２０及び２２０と前記垂直挿入棒２３０とをパイプの内周上にしっかりと支持する働きをする。
【００２４】
一方、図９に示すように、前記垂直挿入棒２３０の内側に形成された前記挿入溝２３２は、その端部分でその直径が細くなるように形成され、前記スリット２３６と連通するようになっている傾斜部分２３４を有し、かつ前記調整ネジ棒３００は、前記挿入溝２３２の傾斜部分２３４に挿入可能になるようにその端部分に形成された傾斜部分３１０を有する。かくして、前記調整ネジ棒３００が、前記水平挿入棒１２０及び２２０と前記垂直挿入棒２３０とがパイプに挿入された状態でレンチを用いて前進させると、前記調整ネジ棒３００の端部は、前記挿入溝２３２の内端を押すため、前記第１カプラー１００と前記第２カプラー２００とは互いに離れて間隔をおくようになる。かくして、前記２本の水平挿入棒１２０及び２２０間に隙間が形成されるようになるので、パイプの内周面がしっかりと支持されると同時に、前記調整ネジ棒３００の端部分に形成された該傾斜部分３１０は、前記挿入溝２３２の内側に強制的に挿入されて、前記挿入溝２３２の端部分に形成された該傾斜部分を押すため、前記スリット２３６は拡開されて前記垂直挿入棒２３０の外径を大きくする。
【００２５】
本発明の好適な実施形態によれば、前記調整ネジ棒３００の端部が支持台の機能を果たすので、前記第２カプラー２００の水平挿入棒２２０はシーソーのように動作し、前記調整ネジ棒３００の押圧力は前記水平挿入棒２２０のすべてに均一に分散されるようになっている。また、前記調整ネジ棒３００の端部分に形成された前記傾斜部分３１０と前記挿入溝２３２の端部分とに形成された前記傾斜部分２３４は適切なアイドリングを行い、それによって前記水平挿入棒２２０と前記垂直挿入棒２３０間の力のバランスが保たれる。その結果、前記水平挿入棒１２０及び２００と前記垂直挿入棒２３０とのすべてにより、それらに接続されたパイプがしっかりと支持されることが可能となる。
【００２６】
さらに、３本の水平挿入棒が一互いに６０°の角度で平面上に配置され、１本の垂直挿入棒が前記水平挿入棒に対して垂直方向に配置されていることを特徴とする立体型４分枝コネクタを、本発明の立体型５分枝コネクタと同一方式を用いて形成することもできる。
【００２７】
図１〜９に示されている各種コネクタに加えて、本発明の好適な実施形態では、さまざまな数、角度、及び構造を有する各種挿入棒も本発明の目的の範囲内のものである。
【産業上の利用可能性】
【００２８】
本発明は、使用されるパイプの内径寸法にかかわらず前記組立式展示台の組立/分解を容易に行うことを可能にし、前記組立式展示台の構造を強靭に形成することを可能にし、かつ前記組立式展示台から分解されたパイプを何度も繰り返して使用することを可能にする組立式展示台用パイプコネクタを開示するものであり、本発明のパイプコネクタはさまざまな産業分野において非常に有用である。
【図面の簡単な説明】
【００２９】
【図１】図１は、本発明の実施形態に係る直角型２分枝コネクタを示す断面図である。
【図２】図２は、本発明の別の実施形態に係る立体型３分枝コネクタを示す組立斜視図である。
【図３】図３は、図２の立体型３分枝コネクタを示す分解斜視図である。
【図４】図４は、本発明のさらに別の実施形態に係る平面型３分枝コネクタを示す平面図である。
【図５】図５は、本発明のさらに別の実施形態に係る立体型４分枝コネクタを示す組立斜視図である。
【図６】図６は、図５の立体型４分枝コネクタを示す分解斜視図である。
【図７】図７は、本発明のさらに別の実施形態に係る立体型５分枝コネクタを示す組立斜視図である。
【図８】図８は、図７の立体型５分枝コネクタを示す分解斜視図である。
【図９】図９は、図７の立体型５分枝コネクタを示す分解断面図である。
【図１】
2008531177.tif 000003
【図２】
2008531177.tif 000004
【図３】
2008531177.tif 000005
【図４】
2008531177.tif 000006
【図５】
2008531177.tif 000007
【図６】
2008531177.tif 000008
【図７】
2008531177.tif 000009
【図８】
2008531177.tif 000010
【図９】
2008531177.tif 000011
【国際調査報告】
2008531177.tif 000012
2008531177.tif 000013